(57)【要約】【課題】重い階段パーツを支えながら取り付ける必要がなく構築し易く、階段下を有効利用し易いし、部材点数が少なく、しかも、階段梁が邪魔になったり外観を壊すことのない美麗な屋外階段と、この屋外階段の構築方法を提供する。【解決手段】２本の支柱２と、連結梁６１と階段梁６２と踊り場梁６３からなる側梁６と、階段支持梁７と、階段パーツ８とからなる。２本の支柱２を立設し、側梁６の階段梁６２の前後を２本の支柱２に取り付ける。階段支持梁７を側梁６の建物本体１の構造材に取り付ける。階段支持梁７に階段パーツ８を取り付ける。なお階段パーツ８は上側階段パーツ８１と下側階段パーツ８２からなる。【選択図】  図３
2004353250.tif 000002
【特許請求の範囲】
【請求項１】
第１支柱と第２支柱からなる２本の支柱と、略水平な連結梁と斜め下方向に傾斜している階段梁と略水平な踊り場支持梁とがこの順に略一平面状に連結された側梁と、上端部階段支持梁と中央部階段支持梁からなる階段支持梁と、下側階段パーツと上側階段パーツからなる階段パーツと、踊り場床とからなり、建物本体には、上階の廊下の屋外階段取付位置と反対側の梁を延長した階段取付梁が設けられ、２本の支柱が、建物本体から下側階段パーツの幅と上側階段パーツの幅の合計と略等しい距離だけ隔てた位置に、略平行に立設され、側梁が、連結梁の先端を前記階段取付梁に近接または接続させた状態に、配置され、この側梁の階段梁と連結梁との境界近傍が第１支柱に、また、側梁の階段梁と踊り場支持梁との境界近傍が第２支柱にそれぞれ取り付けられ、上端部階段支持梁が、側梁の連結梁と階段梁との境界近傍と、建物本体の構造材とに差し渡されて取り付けられ、中央部階段支持梁が、側梁の階段梁と踊り場支持梁との境界近傍と、建物本体の構造材とに差し渡されて取り付けられ、下側階段パーツが地上、廊下、下階の上端部階段支持梁のいずれかと中央部階段支持梁とに架け渡されて取り付けられ、上側階段パーツが中央部階段支持梁と上端部階段支持梁に架け渡されて取り付けられ、踊り場床が踊り場支持梁に取り付けられていることを特徴とする屋外階段。
【請求項２】
前記上端部階段支持梁が取り付けられた建物本体の構造材が梁であり、前記中央部階段支持梁が取り付けられた建物本体の構造材が柱であることを特徴とする請求項１記載の屋外階段。
【請求項３】
前記踊り場支持梁と中央部階段支持梁には、梁材をＬ字形に組み立てた踊り場支持補助梁が、Ｌ字形の両側の端部をそれぞれ踊り場支持梁と中央部階段支持梁とに連結した状態に、取り付けられていることを特徴とする請求項１記載の屋外階段。
【請求項４】
建物本体の上階の廊下にある屋外階段取付位置と反対側の梁を延長して階段取付梁とし、２本の支柱を、建物本体から略下側階段パーツの幅と上側階段パーツの幅の合計の距離だけ隔てた位置に、略平行に立設し、略水平な連結梁と斜め下方向に傾斜している上側階段梁と略水平な踊り場支持梁とがこの順に略一平面状に連結された側梁を、連結梁の先端を前記階段取付梁に近接または接続した状態に配置して、側梁の階段梁と連結梁との境界近傍を第１支柱に、また、側梁の階段梁と踊り場支持梁との境界近傍を第２支柱にそれぞれ取り付け、上端部階段支持梁を、側梁の連結梁と上側階段梁との境界近傍と、建物本体の構造材とに差し渡して取り付け、中央部階段支持梁を、上側階段梁と踊り場支持梁との境界近傍と、建物本体の構造材とに差し渡して取り付け、下側階段パーツを地上、廊下、下階の上端部階段支持梁のいずれかと中央部階段支持梁の一方の側に架け渡して取り付け、上側階段パーツを中央部階段支持梁と上端部階段支持梁の他方の側に架け渡して取り付け、踊り場床を踊り場支持梁に取り付け、廊下の階段取付梁と連結梁と上端部階段支持梁とで囲まれた空間に床面材を取り付けて上階の廊下の延長部分とすることを特徴とする屋外階段の構築方法。
【発明の詳細な説明】
【０００１】
【発明の属する技術分野】
本発明は屋外階段及び屋外階段の構築方法に関する。
【０００２】
【従来の技術】
屋外階段としては、従来、種々なものが知られている。
一般的な屋外階段としては、特許文献１に記載されている階段と略同じ形式の階段が多い。
この屋外階段は、ささら桁、踏板、蹴込板等を組み立てた略一直線状の階段パーツと、水平規制片と垂直規制片とからなるＬ字形の第１受け材と、平坦でボルト挿通用の長孔を設けた第２受け部材とからなり、施工現場では、予め、建物本体の廊下等の階段取付部に階段受け桁を設け、更に、この階段受け桁の両側にそれぞれ支柱と短支柱を設けていて、支柱に第１受け材を取り付け、短支柱に第２受け部材を取り付け、この第１受け材と第２受け材に階段パーツのささら桁の上端部を取り付けるものである。
【０００３】
また、特許文献２に記載されている屋外階段も知られている。
この特許文献２に記載されている屋外階段は、矩形状の４隅に立設された第１支柱、第２支柱、第３支柱、第４支柱からなる４本の支柱と、第１支柱の下端部と第２支柱の下端部とを連結する下端部階段支持梁と、第１支柱の上端部と第２支柱の上端部とを連結する上端部階段支持梁と、第３支柱の中央部と第４支柱の中央部とを連結する中央部階段支持梁と、第１支柱の中央部と第３支柱の中央部とを連結する第１階段梁と、第２支柱の中央部と第４支柱の中央部とを連結する第２階段梁と、この第１階段梁と第２階段梁が延長され、この延長された梁の先端を連結して構成されたコ字形の踊り場支持梁とからなる階段フレームを備えていて、この階段フレームの下端部階段支持梁と中央部階段支持梁に下側階段パーツを取り付け、中央部階段支持梁と上端部階段支持梁に上側階段パーツを取り付け、踊り場支持梁に踊り場床を取り付けたものである。
【０００４】
この屋外階段の支柱は取り付ける階の高さと略同じであって、２階以上にこの屋外階段を設置する場合には、下階の屋外階段の支柱の上に上階の屋外階段の支柱を接続するというように、積み重ねて使用する。
【０００５】
【特許文献１】
実開平５−８３１４４号公報
【特許文献２】
特開平６−２１２７５８号公報
【０００６】
【発明が解決しようとする課題】
しかし、特許文献１に記載されている屋外階段では、重い階段パーツを支えながらささら桁の上端部を第１受け材と第２受け材に取り付ける作業が困難で、そのため、現場施工工数が多くなり、高価になる。又、高所での作業が多く、危険であるという問題がある。
また、この屋外階段は、１直線状の階段パーツを使用し、この階段パーツを支柱で支持しているので、支柱が通行の邪魔になって、支柱と階段の入口との間にある階段下の部分がデットスペースとなり、土地を有効利用し難い。
【０００７】
一方、特許文献２に記載されている屋外階段は、階段フレームの４本の支柱によって自立しているので、重い階段パーツを支えながら取り付ける必要がないし、連結部に階段パーツの荷重がかからないので、この階段フレームと建物本体との接続構造も簡単な構造でよく屋外階段を構築し易い。
しかも、階段フレームは簡単な構造で製造し易いし、この階段フレームや下側階段パーツと上側階段パーツと踊り場床等を工場で製造し、これを施工現場で単に組み立てるだけで屋外階段とすることができ、極めて便利なものである。
【０００８】
しかし、この屋外階段では、積み重ねたときに下階の上端部階段支持梁と、取り付ける階の下端部階段支持梁とが重なるので、この部分が２重になっていて不経済である。
また、第１支柱と第３支柱とを連結する第１階段梁と、第２支柱と第４支柱とを連結する第２階段梁とが階段の略中央を横切っていて、この第１階段梁や第２階段梁が昇降する人の目に入るので、昇降する人が外側を見るときの邪魔になるし、外側から見ると、この第１階段梁や第２階段梁や４本の支柱等多くの梁材が見えて階段の外観を壊して美麗でないという問題がある。
【０００９】
そこで、この発明の目的は、重い階段パーツを支えながら取り付ける必要がなく構築し易く、階段下を有効利用し易いし、部材点数が少なく、しかも、階段梁が邪魔になったり外観を壊すことのない美麗な屋外階段と、この屋外階段の構築方法を提供することである。
【００１０】
【課題を解決するための手段】
本発明は、上記課題を解決するためになされたものであって、請求項１に記載の発明は、第１支柱と第２支柱からなる２本の支柱と、略水平な連結梁と斜め下方向に傾斜している階段梁と略水平な踊り場支持梁とがこの順に略一平面状に連結された側梁と、上端部階段支持梁と中央部階段支持梁からなる階段支持梁と、下側階段パーツと上側階段パーツからなる階段パーツと、踊り場床とからなり、建物本体には、上階の廊下の屋外階段取付位置と反対側の梁を延長した階段取付梁が設けられ、２本の支柱が、建物本体から下側階段パーツの幅と上側階段パーツの幅の合計と略等しい距離だけ隔てた位置に、略平行に立設され、側梁が、連結梁の先端を前記階段取付梁に近接または接続させた状態に、配置され、この側梁の階段梁と連結梁との境界近傍が第１支柱に、また、側梁の階段梁と踊り場支持梁との境界近傍が第２支柱にそれぞれ取り付けられ、上端部階段支持梁が、側梁の連結梁と階段梁との境界近傍と、建物本体の構造材とに差し渡されて取り付けられ、中央部階段支持梁が、側梁の階段梁と踊り場支持梁との境界近傍と、建物本体の構造材とに差し渡されて取り付けられ、下側階段パーツが地上、廊下、下階の上端部階段支持梁のいずれかと中央部階段支持梁とに架け渡されて取り付けられ、上側階段パーツが中央部階段支持梁と上端部階段支持梁に架け渡されて取り付けられ、踊り場床が踊り場支持梁に取り付けられている屋外階段を特徴とするものである。
【００１１】
本発明における地上とは地面や、この地面の上に設けられた基礎やたたき等の付属物等をいう。
この請求項１記載の発明に使用する第１支柱、第２支柱等の支柱や上端部階段支持梁や中央部階段支持梁等の階段支持梁や階段梁や踊り場支持梁等の梁は、機械的強度の大きな長尺体であればよく、材料、形状は適宜でよい。例えば、鉄骨等の金属製であってもよいし、木材等の木製でもよい。又、金属製の場合には、丸棒、角棒等の棒状体や、丸筒や角筒等の筒体であってもよいし、断面Ｃ字形長尺体のＣ形鋼や断面Ｈ字形長尺体のＨ形鋼等の異形材であってもよい。特に、Ｈ形鋼や筒体が材料の単位体積当たりの機械的強度が大きく好適である。
【００１２】
また、請求項１記載の発明に使用する踊り場床は板状体であればよいが、屋外階段であるので、耐水性や耐候性に優れた板状体が好ましい。しかも、この上に人が載るので、機械的強度の大きな板状体が好ましい。かかる踊り場床としては、ＡＬＣ板、鉄線入りセメント押し出し成形板等が好ましい。又、この板状体の下側や側縁部等に鉄板や枠組等を取り付けて補強してもよい。
【００１３】
また、この請求項１記載の発明における建物本体の構造材とは、屋外階段の階段パーツ等の荷重がかかる上端部階段支持梁や中央部階段支持梁を取り付けても変形したり破壊しない程の大きな機械的強度を有する部材をいう。かかる構造材としては、柱、間柱等の縦方向の構造材や梁、まぐさ等の横方向の構造材等がある。
【００１４】
この請求項１記載の発明では、側梁の階段梁と連結梁との境界近傍が第１支柱に取り付けられ、上端部階段支持梁が、側梁の連結梁と階段梁との境界近傍と、建物本体の構造材とに差し渡されて取り付けられているというように、側梁の階段梁と連結梁との境界近傍には第１支柱と上端部階段支持梁とが取り付けられていが、この取り付けられている位置は同じ場所でもよいし、異なった場所でもよい。同じ場所の場合には、第１支柱に側梁と上端部階段支持梁とを重ねて取り付ければよい。
【００１５】
また、請求項１記載の発明では、側梁の階段梁と踊り場支持梁との境界近傍が第２支柱に取り付けられ、中央部階段支持梁が、側梁の階段梁と踊り場支持梁との境界近傍と、建物本体の構造材とに差し渡されて取り付けられているというように、側梁の階段梁と踊り場支持梁との境界近傍には第２支柱と中央部階段支持梁とが取り付けられていが、この取り付けられている位置は同じ場所でもよいし、異なった場所でもよい。同じ場所の場合には、第２支柱に側梁と中央部階段支持梁とを重ねて取り付ければよい。
【００１６】
また、請求項１記載の発明では、上端部階段支持梁が側梁と建物本体の構造材に取り付けられているが、この上端部階段支持梁が取り付けられる場所は、階段の上部であり、ここには、建物本体の床梁等の梁があるので、請求項２記載のように、この建物本体の構造材が建物本体の梁であることが好ましい。又、中央部階段支持梁が側梁と建物本体の構造材に取り付けられているが、この中央部階段支持梁が取り付けられる場所はその階の略中央部分になっていて、ここには梁がなく、柱があるので、請求項２記載の発明のように、この建物本体の構造材が建物本体の柱であることが好ましい。
【００１７】
即ち、請求項２記載の発明は、請求項１記載の発明に係り、前記上端部階段支持梁が取り付けられた建物本体の構造材が梁であり、前記中央部階段支持梁が取り付けられた建物本体の構造材が柱である。
【００１８】
また、この請求項１記載の発明の屋外階段では、踊り場支持梁に踊り場床が取り付けられているが、この踊り場床がはり場支持梁だけに取り付けられてもよいし、この場所には中央部階段支持梁があるので、踊り場支持梁と中央部階段支持梁とに取り付けられていてもよいが、請求項３記載の発明のように、この踊り場支持梁と中央部階段支持梁に踊り場支持補助梁を取り付けると、踊り場床を取り付け易くなるので好ましい。
【００１９】
即ち、請求項３記載の発明は、請求項１記載の発明に係り、前記踊り場支持梁と中央部階段支持梁には、梁材をＬ字形に組み立てた踊り場支持補助梁が、Ｌ字形の両側の端部をそれぞれ踊り場支持梁と中央部階段支持梁とに連結した状態に、取り付けられているものである。
【００２０】
請求項４記載の発明は、建物本体の上階の廊下にある屋外階段取付位置と反対側の梁を延長して階段取付梁とし、２本の支柱を、建物本体から略下側階段パーツの幅と上側階段パーツの幅の合計の距離だけ隔てた位置に、略平行に立設し、略水平な連結梁と斜め下方向に傾斜している上側階段梁と略水平な踊り場支持梁とがこの順に略一平面状に連結された側梁を、連結梁の先端を前記階段取付梁に近接または接続した状態に配置して、側梁の階段梁と連結梁との境界近傍を第１支柱に、また、側梁の階段梁と踊り場支持梁との境界近傍を第２支柱にそれぞれ取り付け、上端部階段支持梁を、側梁の連結梁と上側階段梁との境界近傍と、建物本体の構造材とに差し渡して取り付け、中央部階段支持梁を、上側階段梁と踊り場支持梁との境界近傍と、建物本体の構造材とに差し渡して取り付け、下側階段パーツを地上、廊下、下階の上端部階段支持梁のいずれかと中央部階段支持梁の一方の側に架け渡して取り付け、上側階段パーツを中央部階段支持梁と上端部階段支持梁の他方の側に架け渡して取り付け、踊り場床を踊り場支持梁に取り付け、廊下の階段取付梁と連結梁と上端部階段支持梁とで囲まれた空間に床面材を取り付けて上階の廊下の延長部分とする屋外階段の構築方法を特徴とするものである。
【００２１】
（作用）
請求項１記載の発明では、第１支柱と第２支柱からなる２本の支柱と、略水平な連結梁と斜め下方向に傾斜している階段梁と略水平な踊り場支持梁とがこの順に略一平面状に連結された側梁と、上端部階段支持梁と中央部階段支持梁からなる階段支持梁と、下側階段パーツと上側階段パーツからなる階段パーツと、踊り場床とからなるので、特許文献２記載の屋外階段と比較すると、第３支柱と第４支柱の２本の支柱や下端部階段支持梁がないし、階段梁が２個でなく１個であるし、連結梁と階段梁と踊り場支持梁が連結されて側梁となっているというように、部品点数が少ない。
【００２２】
また、建物本体には、上階の廊下の屋外階段取付位置と反対側の梁を延長した階段取付梁が設けられ、側梁が、連結梁の先端を前記階段取付梁に近接または接続させた状態に、配置されているので、この階段取付梁と連結梁と上端部階段支持梁とを３辺とする矩形状の空間に床面材を取り付けると、上階の廊下の延長部分となり、この廊下の延長部分を階段を昇降する上階の階段前の広場とすることができる。
【００２３】
また、２本の支柱が、建物本体から下側階段パーツの幅と上側階段パーツの幅の合計と略等しい距離だけ隔てた位置に、略平行に立設され、側梁の階段梁と連結梁との境界近傍が第１支柱に、また、側梁の階段梁と踊り場支持梁との境界近傍が第２支柱にそれぞれ取り付けられているので、側梁の階段梁の両側近傍が第１支柱と第２支柱に取り付けられている。即ち、この階段梁の外側にある連結梁と踊り場支持梁の先端部には支柱が存在しない。
従って、この連結梁と踊り場支持梁の下方の空間を人が通過することができ、屋外階段の連結梁や踊り場支持梁の下を有効利用することができる。
【００２４】
また、上端部階段支持梁が、側梁の連結梁と階段梁との境界近傍と、建物本体の構造材とに差し渡されて取り付けられ、中央部階段支持梁が、側梁の階段梁と踊り場支持梁との境界近傍と、建物本体の構造材とに差し渡されて取り付けられているので、この上端部階段支持梁と中央部階段支持梁は、第１支柱と第２支柱で支持されている側梁と建物本体の構造材とに強固に取り付けられる。
【００２５】
また、下側階段パーツが地上、廊下、下階の上端部階段支持梁のいずれかと中央部階段支持梁とに架け渡されて取り付けられ、上側階段パーツが中央部階段支持梁と上端部階段支持梁に架け渡されて取り付けられ、踊り場床が踊り場支持梁に取り付けられているので、屋外階段は、地上または床から下側階段パーツを昇って踊り場床に達し、この踊り場床の上で回転して反対方向に向き、踊り場床から上側階段パーツを昇って上階に行くことができるし、床から上側階段パーツを降りて踊り場床に達し、この踊り場床で回転して反対方向に向き、踊り場床から下側階段パーツを降りて下階に行くことができる。
【００２６】
この際、この上側階段パーツや下側階段パーツは第１支柱と第２支柱で支持されている側梁と建物本体の構造材とに取り付けられている上端部階段支持梁や中央部階段支持梁に架け渡されているので、この上側階段パーツや下側階段パーツの上を安心して昇降することができる。
【００２７】
そして、屋外階段を構築する際には、階段パーツが下側階段パーツと上側パーツとに別れているので、特許文献１に記載されている１個の直線状の階段パーツより軽く、しかも、この下側階段パーツを基礎、廊下、下階の上端部階段支持梁のいずれかと中央部階段支持梁とに載置して取り付けたり、上側階段パーツを中央階段支持梁と上端部階段支持梁とに載置して取り付ければよい。このように載置した状態で取り付ければよいので、重い階段パーツを支えながら取り付ける必要がなく、構築し易い。
【００２８】
また、上側階段パーツを中央部階段支持梁と上端部階段支持梁とに差し渡して取り付けると、この上側階段パーツは、階段梁に沿って取り付けられるし、下側階段パーツを地上、廊下、下階の上間部階段支持梁と中央部階段支持梁とに差し渡して取り付けると、この下側階段パーツの横には階段梁がない。
従って、外側から見ると、この上側階段パーツと階段梁とが重なっていてどちらか一方のみが見えるだけであって、屋外階段を昇降する人が外側を見るときに階段梁が邪魔にならない。
【００２９】
しかも、外側から見た骨格としては、上端部階段支持梁と中央部階段支持梁に差し渡された１本の側梁と２本の支柱があるだけである。従って、全体がスッキリとした形状になり、美麗である。
【００３０】
請求項２記載の発明では、請求項１記載の発明に係り、前記上端部階段支持梁が取り付けられた建物本体の構造材が梁であり、前記中央部階段支持梁が取り付けられた建物本体の構造材が柱であるので、上端部階段支持梁や中央部支持梁を建物本体の構造材に取り付け易い。
【００３１】
請求項３記載の発明では、請求項１記載の発明に係り、前記踊り場支持梁と中央部階段支持梁には、梁材をＬ字形に組み立てた踊り場支持補助梁が、Ｌ字形の両側の端部をそれぞれ踊り場支持梁と中央部階段支持梁とに連結した状態に、取り付けられているので、踊り場支持梁と中央部階段支持梁と踊り場支持補助梁とからなる矩形状の梁の上に踊り場床を載置するだけで、簡単に、且つ、強固に取り付けることができ、便利である。
【００３２】
そして、この踊り場支持梁は階段梁の延長した方向にあるので、この踊り場支持梁に取り付けられた踊り場床は、下側階段パーツを昇った人が、その進行方向にある踊り場床の上に立ち易いし、上側階段パーツを降りた人が、その進行方向にある踊り場床の上に立ち易い。
【００３３】
請求項４記載の発明では、建物本体の上階の廊下にある屋外階段取付位置と反対側の梁を延長して階段取付梁とし、２本の支柱を、建物本体から略下側階段パーツの幅と上側階段パーツの幅の合計の距離だけ隔てた位置に、略平行に立設し、略水平な連結梁と斜め下方向に傾斜している上側階段梁と略水平な踊り場支持梁とがこの順に略一平面状に連結された側梁を、連結梁の先端を前記階段取付梁に近接または接続した状態に配置して、側梁の階段梁と連結梁との境界近傍を第１支柱に、また、側梁の階段梁と踊り場支持梁との境界近傍を第２支柱にそれぞれ取り付け、上端部階段支持梁を、側梁の連結梁と上側階段梁との境界近傍と、建物本体の構造材とに差し渡して取り付け、中央部階段支持梁を、上側階段梁と踊り場支持梁との境界近傍と、建物本体の構造材とに差し渡して取り付け、下側階段パーツを地上、廊下、下階の上端部階段支持梁のいずれかと中央部階段支持梁の一方の側に架け渡して取り付け、上側階段パーツを中央部階段支持梁と上端部階段支持梁の他方の側に架け渡して取り付け、踊り場床を踊り場支持梁に取り付け、廊下の階段取付梁と連結梁と上端部階段支持梁とで囲まれた空間に床面材を取り付けて上階の廊下の延長部分とする屋外階段の構築方法を特徴とするので、この屋外階段の構築方法で構築した屋外階段は、請求項１記載の屋外階段となる。
【００３４】
即ち、階段取付梁と連結梁と上端部階段支持梁とを３辺とする矩形状の空間に床面材が取り付けられた上階の廊下の延長部分は、階段を昇降する階段前の広場となり、ここに人が立ち易く、地上または廊下から下側階段パーツを昇って踊り場床に達し、この踊り場床の上で回転して反対方向に向き、踊り場床から上側階段パーツを昇って上階の廊下の延長部分に行くことができるし、廊下の延長部分から上側階段パーツを降りて踊り場床に達し、この踊り場床で回転して反対方向に向き、踊り場床から下側階段パーツを降りて下階に行くことができる屋外階段となる。
【００３５】
そして、請求項１記載の発明の作用の項に記載されているように、特許文献２記載の屋外階段と比較すると、２本の支柱、下端部階段支持梁がないし、階段梁が２個でなく１個であるし、連結梁と階段梁と踊り場支持梁が連結された側梁となっているというように、部品点数が少なく、それだけ安価に構築できる。
また、側梁の階段梁の両側に第１支柱と第２支柱が取り付けられていて、階段梁の両側にある連結梁と踊り場支持梁の先端部には支柱が存在せず、この連結梁と踊り場支持梁の下方の空間を人が通過することができ、屋外階段の連結梁や踊り場支持梁の下を有効利用することができる。
【００３６】
また、この上端部階段支持梁と中央部階段支持梁は第１支柱と第２支柱で支持されている側梁と建物本体の構造材に強固に取り付けられていて、下側階段パーツが地上、廊下、下階の上端部階段支持梁のいずれかとこの強固に取り付けられている中央部階段支持梁とに取り付けられ、上側階段パーツがこの強固に取り付けられている中央部階段支持梁と上端部階段支持梁に架け渡されているので、安心してこの下側階段パーツと上側階段パーツの上を昇降することができる。
【００３７】
そして、屋外階段を構築する際には、階段パーツが下側階段パーツと上側パーツとに別れているので、特許文献１に記載されている１個の直線状の階段パーツより軽いし、しかも、この下側階段パーツを基礎または廊下と中央部階段支持梁とに載置して取り付けたり、上側階段パーツを中央階段支持梁と上端部階段支持梁とに載置し取り付けることができる。従って、重い階段パーツを支えながら取り付ける必要がなく、構築し易い。
また、上側階段パーツを中央部階段支持梁と上端部階段支持梁とに差し渡して取り付けると、この上側階段パーツは、階段梁に沿って取り付けられるし、下側階段パーツを地上または廊下と中央部階段支持梁とに差し渡して取り付けると、この下側階段パーツの横には階段梁がない。
【００３８】
従って、外側から見ると、この上側階段パーツと階段梁とが重なっていてどちらか一方のみが見えるだけであって、屋外階段を昇降する人が外側を見るときに階段梁が邪魔にならない。
しかも、外側から見た骨格としては、上端部階段支持梁と中央部階段支持梁に差し渡された１本の側梁と２本の支柱があるだけである。従って、全体がスッキリとした形状になり、美麗である。
【００３９】
【発明の実施の形態】
以下、本発明の実施の形態を実施例で説明する。
図１〜図８は本発明の一実施例を示すもので、図１は建物本体の骨格の一部を示す斜視図、図２は梁と柱とを接続している状態を示す斜視図、図３は屋外階段を組み立てている状態を示す斜視図、図４は建物本体の２階に屋外階段を取り付けた状態を示す側面図、図５は図４のＡ−Ａ線における断面図、図６は下側階段パーツを示す縦断面図、図７は上側階段パーツを示す縦断面図、図８（イ）は表面を上にした状態の踊り場床を示す斜視図、（ロ）と裏面を上にした状態を示す斜視図である。
【００４０】
図１〜図８において、Ｈは３階建ての建物であり、この建物Ｈは、建物本体１に屋外階段４が取り付けられたものである。
建物本体１の骨格は、図１に示すように、基礎９９の上に設けられた１階の鋼製の断面Ｈ形長尺体の梁２と、この梁２の所々に立設された１階の鋼製の柱３と、この柱３の上端面に架け渡された２階の鋼製の断面Ｈ形長尺体の梁２と、この梁２の所々に立設された２階の鋼製の柱３と、この柱３の上に架け渡された３階の鋼製の断面Ｈ形長尺体の梁２と、この梁２の所々に立設された３階の鋼製の柱３と、この柱３の上に架け渡された屋根を構成する鋼製の断面Ｈ形長尺体の梁２とからなる。
【００４１】
尚、柱３には、鋼製の断面Ｈ形長尺体の柱３−１と鋼製の４角筒体の柱３−２の２種類ある。
この梁２と柱３−１の接続構造を図２を参照しながら説明する。
梁２の上側フランジ２１や下側フランジ２１にはそれぞれ、柱３−１を取り付ける位置に、中央のウエッブ２２を挟んで２個ずつ合計４個の通孔２３が設けられている。
【００４２】
また、柱３−１の上端部および下端部のウエッブ３２には、２個の鋼製のＬ字形短尺の補強片３５が、一方の片３５１と他方の片３５２を向かい合わせるようにして、設けられ、柱３−１のフランジ３１とウエッブ３２と一方の片３５１や他方の辺３５２とで囲まれている空間の端部には、連結板３６が取り付けられている。
【００４３】
このようにして、柱３−１の上端部及び下端部には、ウエッブ３２の両側に２個ずつ、合計４個の補強板３５と連結板３６が設けられている。尚、この連結板３６には通孔３６１が設けられている。
そして、図２に示すように、梁２の上に柱３−１が立設され、梁２の通孔２３と連結板３６の通孔３６１とに通された図示しないボルトとナットとで柱３−１の下端部が連結され、この柱３−１の上に梁２が載置し、梁２の通孔２３と連結板３６の通孔３６１とに通されたボルトとナットとで柱３−１の上端部が連結されている。
【００４４】
建物本体１は、上記骨格に外壁面材や内壁面材や天井面材や間仕切り壁や屋根が等が取り付けられたものである。
４は屋外階段であり、この屋外階段４は、図３〜図５に示すように、支柱５と、側梁６と、上端部階段支持梁７１と中央部階段支持梁７２からなる階段支持梁７と、下側階段パーツ８１と上側階段パーツ８２からなる階段パーツ８と、踊り場床９と、踊り場支持補助梁９５とからなる。
【００４５】
支柱５は、第１支柱５１と第２支柱５２からなる。
この第１支柱５１と第２支柱５２は、地上から２階の屋外階段４を取り付ける位置までの距離と略等しい長さの鋼製の４角筒状の長尺体である。
側梁６は、略水平な連結梁６１と斜め下方向に傾斜している階段梁６２と略水平な踊り場支持梁６３とがこの順に略一平面状に連結され鋼製の四角筒状の長尺体でる。
【００４６】
階段支持梁７は、上端部階段支持梁７１と中央部階段支持梁７２とからなり、この両者は、下側階段パーツ８１の幅と上側階段パーツ８２の幅の合計と略等しい長さの鋼製の角筒体であって、上端部階段支持梁７１は第１支柱５１と建物本体１の構造材である梁２とを連結するものであり、中央部階段支持梁７２は第２支柱５２と建物本体１の構造材である柱３−２とを連結するものである。
【００４７】
即ち、上端部階段支持梁７１の両端部には、図３に示すように、連結板７５が設けられていて、この一方の連結板７５に１個の通孔７６が設けられている。また、第１柱５１に２個の通孔５３が、又、側梁６の連結梁６１と階段梁６２の境界近傍に設けられた２個の通孔６８が、それぞれ設けられていて、連結板７５の通孔７６と、連結梁６１の通孔６８と、第１支柱５１の通孔５３が合わされ、この通孔７６、通孔６８、通孔５３に通されたボルト７９−１と図示しないナットで、第１支柱５１に側梁６と上端部階段支持梁７１とが取り付けられている。
【００４８】
また、この上端部階段支持梁７１の反対側の端部には、２個の通孔７７が設けられ、梁２には、補強板２５が設けられ、この補強板２５には、２個の通孔２６が設けられている。又、連結板７３には、４個の通孔７８が設けられている。
そして、上端部階段支持梁７１が梁２に当接され、この接合部に連結板７３が差し渡され、２個の通孔７７と連結板７３の２個の通孔７８が合わされ、この通孔７７と連結板７３の通孔７８に通されたボルト７９−２と図示しないナットとで上端部階段支持梁７と連結板７３とが連結され、連結板７３の残りの２個の通孔７８と梁２の補強板２５の２個の通孔２６が合わされ、この通孔７８と通孔２６に通されたボルト７９−３と図示しないナットで、連結板７３が梁２に取り付けられている。このようにして、上端部階段支持梁７１は第１支柱５１と梁２とに差し渡されて取り付けられている。
【００４９】
また、中央部階段支持梁７２の一端と、側梁６の階段梁６２と踊り場支持梁６３との境界近傍が、同様な方法で、第２支柱５２に取り付けられている。
また、中央部階段支持梁７２の他端部には図示しない通孔が設けられ、柱３−２には連結板３９が取り付けられ、この連結板３８には通孔３９が設けられている。
【００５０】
そして、中央部階段支持梁７２が柱３−２に当接され、柱３−２の連結板３８の通孔３９と中央部階段支持梁７２の図示しない通孔が合わされ、この通孔３９１と図示しない通孔に通された図示しないボルトとナットで中央部階段支持梁７２が柱３−２に取り付けられている。
【００５１】
階段パーツ８の下側階段パーツ８１は、図６に示すように、両側の略平行なささら桁８１１と、この両側のささら桁８１１に差し渡された踏板８１２と蹴込板８１３と、ささら桁８１１の上端に設けられた上側連結板８１４と、下端に設けられた下側連結板８１６とからなり、上側連結板８１４には、４個の通孔８１５が設けられ、下側連結板８１６には、４個の通孔８１７が設けられている。
【００５２】
階段パーツ８の上側階段パーツ８２は、図７に示すように、下側階段パーツ８１と同様に、両側の略平行なささら桁８２１と、この両側のささら桁８２１に差し渡された踏板８２２と蹴込板８２３と、ささら桁の上端に設けられた上側連結板８２４と、下端に設けられた下側連結板８２６とからなり、この上側連結板８２４には、４個の通孔８２５が設けられ、下側連結板８２６には、４個の通孔８２７が設けられている。
この上側階段パーツ８１と下側階段パーツ８２とを比較すると略同じ構造であるが、向きが異なることと、取り付ける場所が異なるために、ささら桁８１１、８２１の上下部分の構造が若干異なるだけである。
【００５３】
そして、１階では、下側階段パーツ８１が地上と中央部階段支持梁７２に架け渡され、上側階段パーツ８２が中央階段支持梁７２と上端部階段支持梁７１に架け渡されて、固定されている。
また、２階では下階階段パーツ８１が１階の上端部階段支持梁７１と中央部階段支持梁７２に架け渡され、上側階段パーツ８２が中央階段支持梁７２と上端部階段支持梁７１に架け渡され固定されている。
【００５４】
踊り場支持補助梁９５は、鋼製の断面Ｈ形長尺体の梁材を、後述の踊り場床９の隣り合う２辺と略同じ形状のＬ字形に枠組したものであって、踊り場支持梁６３の先端部と中央部階段支持梁７２の先端部に、踊り場支持補助梁９５のＬ字形の両側の端部９５１、９５２を接続して、取り付けられている。
踊り場床９は、図８に示すように、枠９２とブレース９３からなる枠体の中に６枚の厚みが略５０ｍｍの鉄線入りセメント押し出し成形板が取り付けられたものである。
【００５５】
次に、この屋外階段の構築方法及び作用について説明する。
工場で、梁２、柱３、支柱５、側梁６、階段支持梁７、階段パーツ８、踊り場床９、踊り場支持補助梁９５等を製造する。
この梁２、柱３、支柱５、側梁６、階段支持梁７、階段パーツ８、踊り場９、踊り場支持補助梁９５をを施工現場に運搬する。
【００５６】
施工現場では、既に、設けられている基礎９９の上に梁２を設け、この梁２の所々に柱３を立設し、この柱３の上端面に梁２を架け渡し、この梁２の所々に柱３を立設し、この柱３の上に梁２を架け渡し、この梁２の所々に柱３を立設し、この柱３の上に梁２と架け渡して３階建ての建物本体１の骨格を組み立てる。
また、階段を取り付ける２階と３階の位置には、廊下を構成する階段取付位置と反対側の梁２を延長させて階段取付梁Ｋとする。
【００５７】
次に、この階段取付梁Ｋに屋外階段４を構築する方法について説明する。
２本の支柱５（第１支柱５１と第２支柱５２）を建物本体１から略下側階段パーツ８１の幅と上側階段パーツ８２の幅の合計の距離だけ隔てた位置に、略平行に立設する。
なお、この２本の梁の間の距離は側梁６の斜め下方向に傾斜している階段梁６２の水平投射面の距離と略等しくする。
【００５８】
次に、側梁６を、連結梁６１の先端を階段取付梁Ｋの先端に近接した状態に配置して、側梁６の階段梁６２と連結梁６１との境界近傍と上端部階段支持梁７１とを重ねて第１支柱５１に当接させ、第１支柱５１の通孔５３、連結梁６１の通孔６８、上端部階段支持梁７１の連結板７５の通孔７６を合わせ、これ等の通孔に通されたボルト７９−３とナットで、第１支柱５１に側梁６と上端部階段支持梁７１を取り付ける。
【００５９】
また、上端部階段支持梁７１の他端部を梁２に当接させ、この接続部に連結板７３を差し渡し、上端部階段支持梁７１の通孔７７と連結板７３の通孔７８とを合わし、両方の通孔に通したボルトと、ナットで上端部階段支持梁７１を梁２に取り付ける。
また、側梁６の階段梁６２と踊り場支持梁６３との境界近傍と中央部階段支持梁７２とを重ねて第２支柱５２に当接させ、第２支柱５２の通孔５４、踊り場支持梁６３の通孔６９、中央部階段支持梁７２の連結板７７の通孔７８を合わせ、これ等の通孔に通された図示しないボルトとナットで、第２支柱に側梁６と中央部階段支持梁７２を取り付ける。
【００６０】
また、中央部階段支持梁７２の他端部を柱３−２に当接させ、柱３−２の連結板３８の通孔３９と中央部階段支持梁７２の図示しない通孔を合わし、これ等の通孔に通したボルト、ナットで中央部階段支持梁７２を柱３−２に取り付ける。このように、上端部階段支持梁７１と中央部階段支持梁７２とは、それぞれ側梁６と、建物本体１の構造材である梁２や柱３−２に差し渡されて取り付けられているので、この上端部階段支持梁７１と中央部階段支持梁７２とは、強固に取り付けられる。
【００６１】
次に、踊り場支持梁６３と中央階段支持梁７２に踊り場支持補助梁９５を、踊り場支持補助梁９５のＬ字形の両端部を踊り場支持梁６３と中央階段支持梁７２に接続して、取り付け、この踊り場支持梁６３と踊り場支持補助梁９５に踊り場床９を載置して取り付ける。
すると、中央階段支持梁７２と踊り場支持梁６３と踊り場支持補助梁９５とは、踊り場床８の外周と略同じ形状に組み立てられていて、この踊り場支持梁４７の上に踊り場を載置し固定するだけで強固に取り付けることができる。
【００６２】
また、下側階段パーツ８１を基礎９９と中央部階段支持梁７２とに差し渡し、一方に寄せて取り付け、上側階段パーツ８２を中央部階段支持梁７２と上端部階段支持梁７１とに差し渡し、下側階段パーツ８１の隣に取り付けると１階の屋外階段４が構築される。
そして、階段取付梁Ｋと梁２と上端部階段支持梁７１とで囲まれた空間に、厚み１００ｍｍのＡＬＣ板の屋外廊下板５９を取り付けて、屋外階段を昇降する人の立つことのできる廊下の一部とする。
このようにして、１階と２階に階段を設ける。
【００６３】
次に、建物本体１の骨格に外壁パネル、内壁パネル、天井パネル、屋根パネル等を取り付けたり、その他の仕上げを行うと建物が完成する。
このようにして構築された屋外階段４は、階段取付梁Ｋと連結梁６１と上端部階段支持梁７１とを３辺とする矩形状の空間に床面材５９が取り付けられて上階の廊下の延長部分が形成されされていて、この廊下の延長部分が、階段を昇降する階段前の広場となっていて、ここに人が立ち易い。
【００６４】
また、地上または廊下から下側階段パーツ８１を昇って踊り場床９に達し、この踊り場床９の上で回転して反対方向に向き、踊り場床９から上側階段パーツ８２を昇って上階の廊下の延長部分に行くことができるし、廊下の延長部分から上側階段パーツ８２を降りて踊り場床９に達し、この踊り場床９で回転して反対方向に向き、踊り場床９から下側階段パーツ８１を降りて下階に行くことができる屋外階段４である。
【００６５】
また、この屋外階段４は、２本の支柱５と、側梁６と、階段支持梁７と、階段パーツ８と、踊り場床９と、踊り場支持補助梁９５とからなるので特許文献２記載の屋外階段と比較すると、支柱３と支柱４とからなる２本の支柱と下端部階段支持梁がないし、階段梁が２個でなく１個であるし、連結梁と階段梁と踊り場支持梁が連結された側梁となっているというように、部品点数が少なく、それだけ安価に構築できる。
【００６６】
また、側梁６の階段梁６２の両側が第１支柱５−１と第２支柱５−２に取り付けられていて、階段梁６２の両側にある連結梁６１と踊り場支持梁６３の先端部には支柱が存在しない。従って、この連結梁６１と踊り場支持梁６３の下方の空間を人が通過することができ、屋外階段４の下を有効利用することができる。
【００６７】
また、この上端部階段支持梁７１と中央部階段支持梁７２は、第１支柱５−１と第２支柱５−２で支持されている側梁６と建物本体１の構造材である梁２と柱３に強固に取り付けられ、下側階段パーツ８１が地上または廊下とこの強固に取り付けられている中央部階段支持梁７２とに取り付けられ、上側階段パーツ８２が中央部階段支持梁７２と上端部階段支持梁７１に取り付けられるので、この下側階段パーツ８１と上側階段パーツ８２は強固に取り付けられる。従って、この下側階段パーツ８１と上側階段パーツ８２の上を人が昇降しても落下したり破損することがなく、安心して昇降することができる。
【００６８】
そして、屋外階段４を構築する際には、階段パーツ８が下側階段パーツ８１と上側パーツ８２とに別れているので、特許文献１に記載されている１個の直線状の階段パーツより軽く、しかも、この下側階段パーツ８１を基礎または廊下と中央部階段支持梁７２とに載置したり、上側階段パーツ８２を中央階段支持梁７２と上端部階段支持梁７１とに載置し、この載置した状態で取り付けることができる。従って、重い階段パーツを支えながら取り付ける必要がなく、構築し易い。
【００６９】
このように、上側階段パーツ８２を中央部階段支持梁７２と上端部階段支持梁７１とに差し渡して取り付けると、この上側階段パーツ８２は、階段梁６２に沿って取り付けられるし、下側階段パーツ８１を地上と中央部階段支持梁７２とに差し渡して取り付けると、この下側階段パーツ８１の横には階段梁がなく、屋外階段４を昇降する人が外側を見るときに階段梁６２が邪魔にならない。
従って、外側から見ると、この上側階段パーツ８２と階段梁６２とが重なっていてどちらか一方のみが見えるだけであり、骨格としては、１本の側梁６と２本の支柱５だけであり、全体がスッキリとした形状で美麗である。
【００７０】
以上、この発明の実施の形態を実施例で詳細に説明したが、具体的な構成は、この実施例に限られるものではなく、この発明の要旨を逸脱しない範囲の設計の変更等があっても、この発明に含まれる。
【００７１】
例えば、この実施例では、梁勝ちに組み立てられた鉄骨系の建物について説明したが、その他の建物でもよい。例えば、柱勝ちの鉄骨系の建物でもよいし、木造建物でもよい。また、現地で組み立てる建物でもよいし、工場で建物ユニットに組み立てて、施工現場で建物ユニットを組み立てるユニット建物でもよいし、材料を組み立てて、施工現場で組み立てるプレハブ建物でもよい。
また、踊り場床を踊り場支持梁と中央階段支持梁と踊り場支持補助梁とに取り付けているが、踊り場支持補助梁を取り付けず、踊り場支持梁と中央階段支持梁に取り付けてもよいし、踊り場支持補助梁だけに取り付けてもよい。
【００７２】
【発明の効果】
以上説明してきたように、請求項１記載の発明は、第１支柱と第２支柱からなる２本の支柱と、略水平な連結梁と斜め下方向に傾斜している階段梁と略水平な踊り場支持梁とがこの順に略一平面状に連結された側梁と、上端部階段支持梁と中央部階段支持梁からなる階段支持梁と、下側階段パーツと上側階段パーツからなる階段パーツと、踊り場床とからなり、建物本体には、上階の廊下の屋外階段取付位置と反対側の梁を延長した階段取付梁が設けられ、２本の支柱が、建物本体から下側階段パーツの幅と上側階段パーツの幅の合計と略等しい距離だけ隔てた位置に、略平行に立設され、側梁が、連結梁の先端を前記階段取付梁に近接または接続させた状態に、配置され、この側梁の階段梁と連結梁との境界近傍が第１支柱に、また、側梁の階段梁と踊り場支持梁との境界近傍が第２支柱にそれぞれ取り付けられ、上端部階段支持梁が、側梁の連結梁と階段梁との境界近傍と、建物本体の構造材とに差し渡されて取り付けられ、中央部階段支持梁が、側梁の階段梁と踊り場支持梁との境界近傍と、建物本体の構造材とに差し渡されて取り付けられ、下側階段パーツが地上、廊下、下階の上端部階段支持梁のいずれかと中央部階段支持梁とに架け渡されて取り付けられ、上側階段パーツが中央部階段支持梁と上端部階段支持梁に架け渡されて取り付けられ、踊り場床が踊り場支持梁に取り付けられているから、階段取付梁と連結梁と上端部階段支持梁とを３辺とする矩形状の空間に床面材を取り付けて上階の廊下の延長部分とすると、この廊下の延長部分を階段を昇降する階段前の広場とすることができ、地上または床から下側階段パーツを昇って踊り場床に達し、この踊り場床の上で回転して反対方向に向き、踊り場床から上側階段パーツを昇って上階の階段前の広場に行くことができるし、階段前の広場から上側階段パーツを降りて踊り場床に達し、この踊り場床で回転して反対方向に向き、踊り場床から下側階段パーツを降りて下階に行くことができる屋外階段である。
【００７３】
また、上端部階段支持梁と中央部階段支持梁は第１支柱と第２支柱で支持されている側梁と建物本体の構造材に強固に取り付けられ、地上または廊下とこの中央部階段支持梁とに架け渡された下側階段パーツと、中央部階段支持部に架け渡された上側階段パーツは強固に取り付けられていて、この上を人が昇降しても落下したり破損することがなく、安心して昇降することができる。
【００７４】
そして、屋外階段を構築する際には、階段パーツが下側階段パーツと上側パーツとに別れているので、特許文献１に記載されている１個の直線状の階段パーツより軽く、しかも、この下側階段パーツを基礎または廊下と中央部階段支持梁とに載置し、この載置した状態で取り付けることができるし、上側階段パーツを中央階段支持梁と上端部階段支持梁とに載置し、この載置した状態で取り付けることができ、構築し易いし、特許文献２記載の屋外階段と比較すると、２本の支柱、下端部階段支持梁がないし、階段梁が２個でなく１個であるし、連結梁と階段梁と踊り場支持梁が連結された側梁となっているというように、部品点数が少なく、それだけ安価に屋外階段を構築することができる。
【００７５】
また、側梁の階段梁の両側に第１支柱と第２支柱が取り付けられ、階段梁の両側にある連結梁と踊り場支持梁の先端部には支柱が存在せず、従って、この連結梁と踊り場支持梁の下方の空間を人が通過することができ、屋外階段の下を有効利用することができる。
【００７６】
また、上側階段パーツを中央部階段支持梁と上端部階段支持梁とに差し渡して取り付けると、この上側階段パーツは、階段梁に沿って取り付けられるし、下側階段パーツを地上と中央部階段支持梁とに差し渡して取り付けると、この下側階段パーツの横には階段梁のない。従って、外側から見ると、この上側階段パーツと階段梁とが重なっていてどちらか一方のみが見えるだけであるし、屋外階段を昇降する人が外側を見るときに階段梁が邪魔にならない。
しかも、外側から見た骨格としては、１本の側梁と２本の支柱だけであり、スッキリとした形状になり、美麗である。
【００７７】
請求項２記載の発明は、請求項１記載の発明に係り、前記上端部階段支持梁が取り付けられた建物本体の構造材が梁であり、前記中央部階段支持梁が取り付けられた建物本体の構造材が柱であるから、上端部階段支持梁や中央部支持梁を建物本体の構造材に取り付けることができるし、取り付け易い。
【００７８】
請求項３記載の発明は、請求項１記載の発明に係り、前記踊り場支持梁と中央部階段支持梁には、梁材をＬ字形に組み立てた踊り場支持補助梁が、Ｌ字形の両側の端部をそれぞれ踊り場支持梁と中央部階段支持梁とに連結した状態に、取り付けられているから、踊り場支持梁と中央部階段支持梁と踊り場支持補助梁とからなる矩形状の梁の上に踊り場床を載置するだけで強固に取り付けることができ、便利である。又、この踊り場支持梁は階段梁の延長した方向にあり、この踊り場支持梁に取り付けられた踊り場床は、下側階段パーツを昇った人が、その進行方向にある踊り場床の上に立ち易いし、上側階段パーツを降りた人が、その進行方向にある踊り場床の上に立ち易い。
【００７９】
請求項４記載の発明は、建物本体の上階の廊下にある屋外階段取付位置と反対側の梁を延長して階段取付梁とし、２本の支柱を、建物本体から略下側階段パーツの幅と上側階段パーツの幅の合計の距離だけ隔てた位置に、略平行に立設し、略水平な連結梁と斜め下方向に傾斜している上側階段梁と略水平な踊り場支持梁とがこの順に略一平面状に連結された側梁を、連結梁の先端を前記階段取付梁に近接または接続した状態に配置して、側梁の階段梁と連結梁との境界近傍を第１支柱に、また、側梁の階段梁と踊り場支持梁との境界近傍を第２支柱にそれぞれ取り付け、上端部階段支持梁を、側梁の連結梁と上側階段梁との境界近傍と、建物本体の構造材とに差し渡して取り付け、中央部階段支持梁を、上側階段梁と踊り場支持梁との境界近傍と、建物本体の構造材とに差し渡して取り付け、下側階段パーツを地上、廊下、下階の上端部階段支持梁のいずれかと中央部階段支持梁の一方の側に架け渡して取り付け、上側階段パーツを中央部階段支持梁と上端部階段支持梁の他方の側に架け渡して取り付け、踊り場床を踊り場支持梁に取り付け、廊下の階段取付梁と連結梁と上端部階段支持梁とで囲まれた空間に床面材を取り付けて上階の廊下の延長部分とする屋外階段の構築方法を特徴とするから、この構築方法で構築された屋外階段は請求項１記載の屋外階段となる。
【００８０】
即ち、この屋外階段の構築方法で構築した屋外階段は、階段取付梁と連結梁と上端部階段支持梁とを３辺とする矩形状の空間に床面材が取り付けられた上階の廊下の延長部分が、階段を昇降する階段前の広場となり、ここに人が立ち易く、地上または床から下側階段パーツを昇って踊り場床に達し、この踊り場床の上で回転して反対方向に向き、踊り場床から上側階段パーツを昇って上階の廊下の延長部分に行くことができるし、廊下の延長部分から上側階段パーツを降りて踊り場床に達し、この踊り場床で回転して反対方向に向き、踊り場床から下側階段パーツを降りて下階に行くことができる屋外階段となる。
【００８１】
従って、請求項１記載の発明の作用の項に記載されているように、特許文献２記載の屋外階段と比較すると、２本の支柱、下端部階段支持梁がないし、階段梁が２個でなく１個であるし、連結梁と階段梁と踊り場支持梁が連結された側梁となっているというように、部品点数が少なく、それだけ安価に構築できる。
【００８２】
また、側梁の階段梁の両側に第１支柱と第２支柱が取り付けられていて、階段梁の両側にある連結梁と踊り場支持梁の先端部には支柱が存在せず、この連結梁と踊り場支持梁の下方の空間を人が通過することができ、屋外階段の下を有効利用することができる。
【００８３】
また、この上端部階段支持梁と中央部階段支持梁は第１支柱と第２支柱で支持されている側梁と建物本体の構造材に強固に取り付けられ、地上または廊下とこの強固に取り付けられている中央部階段支持梁とに下側階段パーツを取り付け、中央部階段支持梁と上端部階段支持梁に上側階段パーツを取り付けるので、この下側階段パーツと上側階段パーツは強固に取り付けられ、この下側階段パーツと上側階段パーツの上を人が昇降しても落下したり破損することがなく、安心して昇降することができる。
【００８４】
そして、屋外階段を構築する際には、階段パーツが下側階段パーツと上側パーツとに別れているので、特許文献１に記載されている１個の直線状の階段パーツより軽いし、しかも、この下側階段パーツを基礎または廊下と中央部階段支持梁とに載置し、この載置した状態で取り付けたり、上側階段パーツを中央階段支持梁と上端部階段支持梁とに載置し、この載置した状態で取り付けることができる。従って、重い階段パーツを支えながら取り付ける必要がなく、構築し易い。
【００８５】
また、上側階段パーツを中央部階段支持梁と上端部階段支持梁とに差し渡して取り付けると、この上側階段パーツは、第４支柱の中央部と第２支柱の上端部とを連結する階段梁に沿って取り付けられるし、下側階段パーツを地上と中央部階段支持梁とに差し渡して取り付けると、この下側階段パーツの横には階段梁がない。
従って、屋外階段を昇降する人が外側を見るときに階段梁が邪魔にならないし、外側から見た骨格としては、１本の側梁と２本の支柱だけであり、スッキリとした形状になり、美麗である。
【図面の簡単な説明】
【図１】本発明の一実施例を示すもので、建物本体の骨格の一部を示す斜視図である。
【図２】梁と柱とを接続している状態を示す斜視図である。
【図３】屋外階段を組み立てている状態を示す斜視図である。
【図４】建物本体の２階に屋外階段を取り付けた状態を示す側面図である。
【図５】図４のＡ−Ａ線における断面図である。
【図６】下側階段パーツを示す縦断面図である。
【図７】上側階段パーツを示す縦断面図である。
【図８】（イ）は表面を上にした状態の踊り場床を示す斜視図、（ロ）と裏面を上にした状態を示す斜視図である。
【符号の説明】
Ｈ                建物
Ｋ                階段取付梁
１                建物本体
２                梁
３                柱
４                屋外階段
５                支柱
５１              第１支柱
５２              第２支柱
６                側梁
６１              連結梁
６２              階段梁
６３              踊り場支持梁
７                階段支持梁
７１              上端部階段支持梁
７２              中央部階段支持梁
８                階段パーツ
８１              下側階段パーツ
８２              上側階段パーツ
９                踊り場床
９５              踊り場支持補助梁
【図１】
2004353250.tif 000003
【図２】
2004353250.tif 000004
【図３】
2004353250.tif 000005
【図４】
2004353250.tif 000006
【図５】
2004353250.tif 000007
【図６】
2004353250.tif 000008
【図７】
2004353250.tif 000009
【図８】
2004353250.tif 000010